(57)【要約】【課題】被取付面への取り付けが容易である照明器具を提供することを目的とする。【課題手段】被取付面に固定され、被取付面に対して交差する向きに立上部１１を備えた固定部材１と、灯具３が取り付けられ、固定部材１に取り付けられる取付部材２とを備え、取付部材２は、立上部１１に係合する第１の係合部２２及び第２の係合部２３を有し、立上部１１は、第１の係合部２２が係合される第１の係合受部１５と、第２の係合部２３が係合される第２の係合受部１６とを有し、第１の係合部２２は、立上部１１に対して垂直な向きの弾性力を有することを特徴とする。【選択図】      図５
2020194684.tif 000002
【特許請求の範囲】
【請求項１】
被取付面に固定され、前記被取付面に対して交差する向きに立上部を備えた固定部材と、
灯具が取り付けられ、前記固定部材に取り付けられる取付部材と、
を備え、
前記取付部材は、前記立上部に係合する第１の係合部及び第２の係合部を有し、
前記立上部は、前記第１の係合部が係合される第１の係合受部と、前記第２の係合部が係合される第２の係合受部とを有し、
前記第１の係合部は、前記立上部に対して垂直な向きの弾性力を有すること、
を特徴とする照明器具。
【請求項２】
前記第１の係合部が有する面のうち前記立上部と対向する面において前記被取付面に最も近い点と、前記第２の係合部が有する面のうち前記立上部と対向する面において前記被取付面に最も近い点との間における、前記立上部に対して垂直な方向の距離が、前記立上部の内面間の距離よりも短いこと、
を特徴とする請求項１に記載の照明器具。
【請求項３】
前記第１の係合部は、前記立上部に対して平行な向きに前記立上部と接する面のうち前記被取付面に近い方の面と、前記立上部と対向する面のうち前記被取付面に近い方の面との間の角が、鈍角であること、
を特徴とする請求項１又は請求項２に記載の照明器具。
【請求項４】
前記第１の係合部は、前記立上部に対して平行な向きに前記立上部と接する面のうち前記被取付面から遠い方の面が、前記立上部に対して垂直であること、
を特徴とする請求項１から請求項３のいずれか１項に記載の照明器具。
【請求項５】
前記第２の係合部は、前記立上部に対して垂直な向きの弾性力を有すること、
を特徴とする請求項１から請求項４のいずれか１項に記載の照明器具。
【請求項６】
前記第２の係合部は、前記立上部に対して平行な向きに前記立上部と接する面のうち前記被取付面に近い方の面と、前記立上部と対向する面のうち前記被取付面に近い方の面との間の角が、鈍角であること、
を特徴とする請求項５に記載の照明器具。
【請求項７】
前記第２の係合部は、前記立上部に対して平行な向きに前記立上部と接する面のうち前記被取付面から遠い方の面が、前記立上部に対して垂直であること、
を特徴とする請求項５又は請求項６に記載の照明器具。
【発明の詳細な説明】
【技術分野】
【０００１】
本発明は、照明器具に関するものである。
【背景技術】
【０００２】
照明器具には、天井面等の壁面への取り付け構造として様々なものがある。壁面に直に取り付ける構造や、照明器具を、壁面に固定する固定部材と、その他の部材との２つに分け、壁面に固定された固定部材にその他の部材を後から取り付ける構造等である。壁面に固定された固定部材に、その他の部材を後から取り付ける構造の場合、その他の部材には、固定部材に取り付けるための取付部材が備えられる。取付部材の固定部材への取り付けは、固定部材に対して取付部材を押し込みながら回して、取付部材と固定部材とを係合させることによって行う(例えば、特許文献１)。
【先行技術文献】
【特許文献】
【０００３】
【特許文献１】特開２００８−４４５８号公報
【発明の概要】
【発明が解決しようとする課題】
【０００４】
このような照明器具にあっては、固定部材に取付部材を取り付ける際に、押すことと回すことという２つの動作を同時に行わなければならず、取付部材の固定部材への取り付け方法が複雑であり、照明器具の被取付面への取り付けが難しいという課題があった。
【０００５】
本発明は、上述のような問題を解決するためになされたものであり、被取付面への取り付けが容易である照明器具を提供することを目的とする。
【課題を解決するための手段】
【０００６】
本発明にかかる照明器具は、被取付面に固定され、被取付面に対して交差する向きに立上部を備えた固定部材と、灯具が取り付けられ、固定部材に取り付けられる取付部材とを備え、取付部材は、立上部に係合する第１の係合部及び第２の係合部を有し、立上部は、第１の係合部が係合される第１の係合受部と、第２の係合部が係合される第２の係合受部とを有し、第１の係合部は、立上部に対して垂直な向きの弾性力を有することを特徴とする。
【発明の効果】
【０００７】
本発明にかかる照明器具によれば、第１の係合部が立上部に対して垂直な向きの弾性力を有するので、被取付面への取り付けを容易にできる。固定部材に対して取付部材を押し込むだけで、被取付面に固定された固定部材に、灯具が取り付けられた取付部材を取り付けることができるからである。
【図面の簡単な説明】
【０００８】
【図１】本発明の実施の形態１にかかる照明器具の上方斜視図である。
【図２】本発明の実施の形態１にかかる照明器具の取付部材及び灯具の上方斜視図である。
【図３】本発明の実施の形態１にかかる照明器具の取付部材及び灯具の側面図である。
【図４】本発明の実施の形態１にかかる照明器具の固定部材の下方斜視図である。
【図５】本発明の実施の形態１にかかる照明器具の壁面への取り付け方法を説明する図である。
【図６】本発明の実施の形態にかかる照明器具の第１のバネ部と第１の引掛部と立上部との位置関係を説明する概略断面図である。
【図７】本発明の実施の形態２にかかる照明器具の取付部材及び灯具の断面図である。
【図８】本発明の実施の形態２にかかる照明器具の壁面への取り付け方法を説明する図である。
【図９】本実施の形態にかかる照明器具の第２のバネ部と第３のバネ部と立上部の位置関係を説明する概略断面図である。
【図１０】本発明の実施の形態３にかかる照明器具の第４のバネ部を示す側面図である。
【図１１】本発明の実施の形態３にかかる照明器具の第４のバネ部の変形例を示す側面図である。
【発明を実施するための形態】
【０００９】
以下、図を用いて本発明の実施の形態について説明する。なお、各図中、同一又は相当する部分には、同一符号を付して、その説明を適宜省略又は簡略化する。また、実施の形態の説明において、「上」、「下」、「左」、「右」、「前」、「後」、「表」、「裏」といった向きは、説明の便宜上、そのように記しているだけであって、装置、器具、部品等の配置や向き等を限定するものではない。
【００１０】
実施の形態１．
まず、本発明の実施の形態１にかかる照明器具１００について説明する。図１は、本発明の実施の形態１にかかる照明器具１００を示す上方斜視図である。ここで、図１に示す方向と、後述する図２から図１１に示す方向は、同じ記号かつ同じ符号であれば、同じ方向を示すものである。本実施の形態にかかる照明器具１００は、被取付面に固定され、被取付面に対して交差する向きに立上部１１を備えた固定部材１と、灯具３が取り付けられ、固定部材１に取り付けられる取付部材２とを備える。以下において被取付面は壁面とする。本実施の形態において壁面は、ＸＹ平面上にあり、固定部材１は、ＸＹ平面に対して交差する±Ｚ方向の向きに立上部１１を備える。
【００１１】
取付部材２は、灯具３が取り付けられた円盤状の蓋部２１を備える。灯具３は、光源を有する灯体３２と、灯体３２と蓋部２１とを接続するアーム３１とを備える。固定部材１は、壁面と接する固定面１２と、固定面１２に形成された第１のネジ穴１３と、光源へ電力を供給する電源電線が挿入される電線挿入孔１４とを備える。第１のネジ穴１３は、固定面１２を介して固定部材１を壁面に固定する際に使用され、本実施の形態では２つ形成される。以下、本実施の形態において壁面とは、天井面であることとして説明する。しかしながら、本発明において壁面とは、天井面に限らず、床面であっても良いし、天井面に対して垂直な壁面や天井面に対して傾斜を有する壁面であっても良い。また、本発明において壁面とは、建物が有する面に限らず、屋内外の特設ステージ等が有する壁面であっても良い。なお、図１、後述する図２から図５、図７及び図８において、図示をわかりやすくするため、光源へ電力を供給する電源電線の図示は省略する。
【００１２】
次に、本発明の実施の形態１にかかる照明器具１００の取付部材２について説明する。図２は、本発明の実施の形態１にかかる照明器具１００のうち、取付部材２及び灯具３を示す上方斜視図である。本発明の実施の形態１にかかる照明器具１００の取付部材２は、立上部１１に係合する第１の係合部としての第１のバネ部２２と、立上部１１に係合する第２の係合部としての第１の引掛部２３とを有する。さらに、取付部材２は第１の接続部２４を有する。本実施の形態において、第１の接続部２４と第１の引掛部２３とは、図２に示すように一体に成形される。第１のバネ部２２は、第１の接続部２４と別々に成形され、第１の接続部２４に接続される。
【００１３】
取付部材２は、固定部材１に固定される落下防止用固定部２５と、灯具３の回転を規制する回転規制部２６とを備える。図２に示すように、灯具３は、円盤状の蓋部２１のほぼ中央に形成された貫通孔に、回転規制部２６と合わせてナット２７により取り付けられる。本実施の形態において灯具３は、特定の展示物や人物等を照らすいわゆるスポットライトであり、対象物に合わせて、首振りや回転により配光を調節する。回転規制部２６は、灯具３の回転範囲が３６０度以内となるように規制する機構を有するものである。灯具３が３６０度以上回転してしまうと、電源電線がねじれ、断線してしまう可能性があるので、本実施の形態にかかる照明器具１００は回転規制部２６を備える。
【００１４】
なお、本実施の形態では、灯具３が蓋部２１にナット２７を使用して直接取り付けられているが、灯具３が取り付けられたプラグ等の別部品を貫通孔に挿入して、灯具３を蓋部２１に取り付ける構造としても良い。この構造とする場合、灯具３を回転させる機構はプラグに設けるようにすると良い。
【００１５】
本実施の形態において蓋部２１は、円盤状であるとしており、下方から見ると（＋Ｚ方向に見ると）円形であるが、これに限られることはなく、下方から見た（＋Ｚ方向に見た）形が多角形であっても良い。
【００１６】
図３は、本発明の実施の形態１にかかる照明器具１００のうち、取付部材２及び灯具３を示す側面図である。図３に示すように、第１のバネ部２２は一点鎖線で囲まれた部分に第１の凸部２８を有し、破線で囲まれた第１の引掛部２３は点線で囲まれた部分に第１の爪部２９を有する。本実施の形態において、第１のバネ部２２は、±Ｚ方向に対して垂直な向きである±Ｙ方向の弾性力を有する。本実施の形態において第１の凸部２８は、図３に示すように、Ｌ字形状であり、第１の凸部２８が有する面はどれも、±Ｚ方向に対して垂直ではない。すなわち、第１の凸部２８が有する面はどれも、ＸＹ平面に平行ではない。第１の凸部２８のうち、図３において点線で囲まれたＴ１部は、＋Ｚ方向に対して鈍角を有する。
【００１７】
次に、本発明の実施の形態１にかかる照明器具１００の固定部材１について説明する。図４は、本発明の実施の形態１にかかる照明器具１００のうち、固定部材１を示す下方斜視図である。本実施の形態にかかる照明器具１００の固定部材１は、第１の係合部が係合される第１の係合受部としての第１の貫通孔１５と、第２の係合部が係合される第２の係合受部としての第２の貫通孔１６とを有する。すなわち、固定部材１は、第１のバネ部２２が係合される第１の貫通孔１５と、第１の引掛部２３が係合される第２の貫通孔１６とを有する。以下に詳しく説明するが、第２の貫通孔１６に第１の引掛部２３の第１の爪部２９が挿入され、第１の貫通孔１５に第１のバネ部２２の第１の凸部２８が挿入されると、固定部材１に取付部材２が取り付けられた状態となる。
【００１８】
固定部材１の立上部１１には、第２のネジ穴１７が形成されている。第２のネジ穴１７は、取付部材２の落下防止用固定部２５を固定部材１に固定する際に使用される。
【００１９】
本実施の形態において立上部１１は、円筒形状をしており、下方から見ると（＋Ｚ方向に見ると）円形であるが、これに限られることはなく、下方から見た（＋Ｚ方向に見た）形が多角形であっても良い。すなわち、立上部１１は、多角形筒状であっても良い。また、立上部１１を、第１の貫通孔１５及び第２のネジ穴１７が形成された部分と、第２の貫通孔１６が形成された部分との２つに分け、下方から見ると（＋Ｚ方向に見ると）略半円が２つとなる略円筒形状としても良い。
【００２０】
次に、本発明の実施の形態１にかかる照明器具１００を壁面へ取り付ける方法について説明する。図５は、本発明の実施の形態１にかかる照明器具１００を壁面へ取り付ける方法を説明する図である。まず、図５（ａ）に示すように、壁面である天井面Ａに固定部材１をネジを用いて固定する。固定部材１は天井面Ａに第１のネジ穴１３及びネジを使用して固定されるが、図５（ａ）においてネジの図示は省略する。
【００２１】
次に、図５（ｂ）及び図５（ｃ）に示すように、天井面Ａに対して蓋部２１が斜めとなるように取付部材２を把持し、第２の貫通孔１６に第１の引掛部２３の第１の爪部２９を挿入して、第２の貫通孔１６に第１の引掛部２３を引っ掛ける。そして、第１のバネ部２２の第１の凸部２８を立上部１１に当接させ、＋Ｚ方向に取付部材２を押し込む。この時、第１のバネ部２２の第１の凸部２８のうち、図３において点線で囲まれたＴ１部が、まず立上部１１に当接する。そして、＋Ｚ方向に取付部材２を押し込むにつれて、Ｔ１部と立上部１１との接点が、第１の凸部２８の頂点に近づき、図５（ｃ）に示すように第１の凸部２８の頂点が立上部１１に接する。
【００２２】
第１のバネ部２２は、立上部１１に対して垂直な向き（±Ｙ方向）の弾性力を有するので、立上部１１に押圧され、図５（ｃ）に示すように、−Ｙ方向に弾性変形する。第１のバネ部２２を−Y方向に弾性変形させたまま、＋Ｚ方向に取付部材２を押し込むと、第１の凸部２８の頂点が第１の貫通孔１５の位置に来た時に、立上部１１による第１のバネ部２２への押圧が解放され、第１の貫通孔１５に第１のバネ部２２の第１の凸部２８が挿入される。これにより、図５（ｄ）に示す状態が得られる。以上により、本発明の実施の形態１にかかる照明器具１００は、天井面Ａへ取り付けられる。
【００２３】
なお最後に、第２のネジ穴１７及びネジを使用して、固定部材１と取付部材２の落下防止用固定部２５とを固定する。この作業を行わなくとも、第１の貫通孔１５に第１の凸部２８が挿入されること、及び第２の貫通孔１６に第１の爪部２９が挿入されることにより、取付部材２は固定部材１から落下しない。しかしながら、照明器具１００の長期に渡る使用により、第１の凸部２８又は第１の爪部２９が経年劣化すると、取付部材２が固定部材１から外れる可能性がある。したがって念のために、本実施の形態では、第２のネジ穴１７及びネジを使用して、固定部材１と取付部材２の落下防止用固定部２５とを固定しておく。
【００２４】
本実施の形態にかかる照明器具１００を壁面から取り外す作業は、基本的には取り付ける作業と逆手順で行われる。まず、ネジを第２のネジ穴１７から外して、固定部材１と落下防止用固定部２５との固定を解く。そして、蓋部２１の第１のバネ部２２が設けられている部分を−Ｚ方向に引っ張って蓋部２１を傾けて、第１のバネ部２２を−Ｙ方向に弾性変形させる。そのまま、取付部材２を−Ｚ方向に引っ張ると、第１の貫通孔１５から第１のバネ部２２が、第２の貫通孔１６から第１の引掛部２３を外れて、固定部材１から取付部材２が取り外された状態となる。最後に、天井面Ａから固定部材１を取り外す。以上により、本実施の形態１にかかる照明器具１００は、天井面Ａから取り外される。
【００２５】
図６は、本実施の形態にかかる照明器具１００の第１のバネ部２２と第１の引掛部２３と立上部１１の位置関係を説明する概略断面図である。図６には、本実施の形態にかかる照明器具１００のうち、立上部１１、固定面１２、蓋部２１、第１のバネ部２２及び第１の引掛部２３のみを概略で示す。固定面１２は、壁面と接するので、固定面１２の位置は壁面の位置でもある。
【００２６】
図６に示すように、第１のバネ部２２が有する端点のうち立上部１１に対して垂直な方向（±Ｙ方向）において第１の引掛部２３から最も遠い点Ｐと、第１の引掛部２３が有する端点のうち立上部１１に対して垂直な方向（±Ｙ方向）において第１のバネ部２２から最も遠い点Ｑとの間における、立上部１１に対して垂直な方向（±Ｙ方向）の距離Ｌ１は、立上部１１の内面間の距離Ｌ２よりも長い。つまり、本実施の形態において、点Ｐと点Ｑとの間における±Ｙ方向の距離Ｌ１は、立上部１１の内面間の距離Ｌ２よりも長い。したがって、第１のバネ部２２が立上部１１に係合し、第１の引掛部２３が立上部１１に係合する。より詳細には、第１のバネ部２２及び第１の引掛部２３は、立上部１１の外側に向かう力を利用して、立上部１１に係合する。
【００２７】
また、図６に示すように、第１のバネ部２２が有する面のうち立上部１１と対向する面において壁面に最も近い点Ｒと、第１の引掛部２３が有する面のうち立上部１１と対向する面において壁面に最も近い点Ｓとの間における、立上部１１に対して垂直な方向（±Ｙ方向）の距離Ｌ３は、立上部１１の内面間の距離Ｌ２よりも短い。つまり、本実施の形態において、点Ｒと点Ｓとの間における±Ｙ方向の距離Ｌ３は、立上部１１の内面間の距離Ｌ２よりも短い。本実施の形態では、固定部材１に取付部材２を取り付ける前も後も、距離Ｌ３は距離Ｌ２よりも短いが、本発明においては、固定部材１に取付部材２を取り付ける作業時に、距離Ｌ３が距離Ｌ２よりも短くなっていれば良い。
【００２８】
本実施の形態において、立上部１１は円筒形状であるので、立上部１１の内面間の距離Ｌ２は、立上部１１の内径であり、どこをとっても同じ長さである。しかしながら、立上部１１は多角形筒状であっても良いので、立上部１１の内面間の距離Ｌ２は、場所によって異なることがある。この場合、立上部１１の内面間の距離Ｌ２は、立上部１１の内面間の距離Ｌ２と比較する対象の距離が示される同じ断面内における、立上部１１の内面間の距離Ｌ２とする。
【００２９】
距離Ｌ１、距離Ｌ２及び距離Ｌ３は、第１のバネ部２２の弾性力の大きさや、第１の凸部２８の形状、第１の引掛部２３の形状、第１の貫通孔１５の形状や大きさ、第２の貫通孔１６の形状や大きさ等によって、適宜定められるものである。
【００３０】
また、第１のバネ部２２は、図６に示すように、立上部１１に対して平行な向き（±Ｚ方向）に立上部１１と接する面のうち壁面に近い方の面と、立上部１１と対向する面のうち壁面に近い方の面との間の角が、鈍角Ｃ１である。鈍角Ｃ１の角度は、第１のバネ部２２の弾性力の大きさや、第１の貫通孔１５の形状や大きさ等によって、適宜決められるものである。
【００３１】
以上のように、本実施の形態にかかる照明器具１００は、第１のバネ部２２が立上部１１に対して垂直な向きの弾性力を有するので、照明器具１００の壁面への取り付けを容易にできる。本実施の形態にかかる照明器具１００は、第２の貫通孔１６に第１の引掛部２３を引っ掛けた後、取付部材２を固定部材１に対して押し込むだけで、灯具３が取り付けられた取付部材２を壁面に固定された固定部材１に取り付けることができる。つまり、固定部材１に取付部材２を取り付ける作業において、固定部材１に対して取付部材２を押し込む動作と同時に行うべき動作がない。すなわち、本実施の形態にかかる照明器具１００は、固定部材１に取付部材２を取り付ける作業において、２つ以上の動作を同時に行う必要がない。したがって、本実施の形態にかかる照明器具１００は、固定部材１に取付部材２を容易に取り付けることができるから、壁面への取り付けが容易となる。
【００３２】
また、本実施の形態にかかる照明器具１００は、壁面への取り付けをさらに容易にできる。本実施の形態にかかる照明器具１００は、第１のバネ部２２が有する面のうち立上部１１と対向する面において壁面に最も近い点Ｒと、第１の引掛部２３が有する面のうち立上部１１と対向する面において壁面に最も近い点Ｓとの間における、立上部１１に対して垂直な方向の距離Ｌ３が、立上部１１の内面間の距離Ｌ２よりも短い。したがって、固定部材１に取付部材２を取り付ける作業において、本実施の形態にかかる照明器具１００は、第１のバネ部２２を立上部１１に当接させ易いからである。
【００３３】
さらに、本実施の形態にかかる照明器具１００は、壁面への取り付けをさらに容易にできる。本実施の形態にかかる照明器具１００の第１のバネ部２２は、立上部１１に対して平行な向きに立上部１１と接する面のうち壁面に近い方の面と、立上部１１と対向する面のうち壁面に近い方の面との間の角が、鈍角である。したがって、固定部材１に取付部材２を取り付ける作業において、本実施の形態にかかる照明器具１００は、第１のバネ部２２と立上部１１とを当接させた後、固定部材１に取付部材２を押し込みやすいからである。
【００３４】
また、本実施の形態にかかる照明器具１００は、壁面からの取り外しも容易にできる。本実施の形態にかかる照明器具１００は、蓋部２１の第１のバネ部２２が設けられている部分を引っ張って蓋部２１を傾けて、−Ｚ方向に取付部材２を引っ張るだけで、固定部材１から取付部材２を取り外せる。したがって、本実施の形態にかかる照明器具１００は、固定部材１から取付部材２を容易に取り外すことができるから、壁面からの取り外しも容易である。
【００３５】
ここで、以下に説明する第１の場合の照明器具を考える。まず、固定部材１の立上部１１の内側に、第１の貫通孔１５及び第２の貫通孔１６の代わりとして、Ｌ字形状の第１の突起を２つ設ける。そして、取付部材２に、第１のバネ部２２及び第１の引掛部２３の代わりとして、第１の突起に嵌合する第２の突起を２つ設ける。第１の突起と第２の突起との嵌合は、第１の突起のＬ字形状の内側の角部に第２の突起がぶつかることで行われる。第１の突起と第２の突起とが互い違いになるように固定部材と取付部材とを合わせた後、取付部材を回転させると、第１の突起のＬ字形状の内側の角部に第２の突起がぶつかる仕組みである。
【００３６】
第１の場合において、取付部材に取り付けられた灯具が、配光を調節するために回転動作をすると、その影響より取付部材が回転し、第１の突起と第２の突起との嵌合が外れてしまう可能性があった。すなわち、第１の場合の照明器具において、灯具が回転動作をすると、固定部材から取付部材が外れてしまい、灯具が落下する可能性があった。
【００３７】
一方、本実施の形態にかかる照明器具１００は、灯具３の回転動作により、固定部材１から取付部材２が外れて、灯具３が落下してしまうことを防止できる。第１の凸部２８が第１の貫通孔１５に挿入され、第１の爪部２９が第２の貫通孔１６に挿入されているので、灯具３が回転動作をしても、第１の凸部２８が第１の貫通孔１５の縁に接触すること、又は第１の爪部２９が第２の貫通孔１６の縁に接触することによって、取付部材２が回転することを防ぐことができるからである。
【００３８】
なお、本実施の形態において、第１の係合受部及び第２の係合受部は、貫通孔であるとしたが、本発明において、第１の係合受部及び第２の係合受部は凹部でもあっても良い。もちろん、第１の係合受部を凹部とし、第２の係合受部を貫通孔として、凹部と貫通孔とを組み合わせても良い。凹部とする場合は、凹部の凹み部分に第１の係合部又は第２の係合部が係合するよう、凹み部分が立上部１１の内側となるように、立上部１１に凹部を形成する。
【００３９】
また、本実施の形態において、灯具３は回転するものであるとしたが、本発明において、灯具３は回転しないものであっても良く、特に限定されるものではない。
【００４０】
さらに、本実施の形態において第１の引掛部２３は、第１の接続部２４と一体に成形されるとしたが、別々に成形し、第１の接続部２４に第１の引掛部２３を接続しても良い。同様に、本実施の形態において第１のバネ部２２は、第１の接続部２４とは別々に成形され、第１の接続部２４に接続するとしたが、第１のバネ部２２と第１の接続部２４とを一体に成形しても良く、第１のバネ部２２と第１の引掛部２３と第１の接続部２４とを一体に成形しても良い。また、本実施の形態にかかる照明器具１００の取付部材２は、第１の接続部２４を備えず、第１のバネ部２２と第１の引掛部２３とをそれぞれ蓋部２１に直接接続させても良い。
【００４１】
実施の形態２．
次に、本発明の実施の形態２にかかる照明器具について説明する。本発明の実施の形態２では、本発明の実施の形態１と相違する部分について説明し、同一又は対応する部分についての説明は省略する。本発明の実施の形態２にかかる照明器具は、本発明の実施の形態１にかかる照明器具１００と異なり、第１の引掛部２３を備えずにバネ部を２つ備える。
【００４２】
図７は、本発明の実施の形態２にかかる照明器具のうち、取付部材４及び灯具３を示す断面図である。なお、図７は断面図であるが、構成部材にハッチングを施すと分かりづらくなるため、あえて構成部材にハッチングを施していない。本実施の形態にかかる照明器具は、灯具３が取り付けられ、固定部材１に取り付けられる取付部材４を備える。本発明の実施の形態１にかかる照明器具の取付部材４は、立上部１１に係合する第１の係合部としての第２のバネ部４２と、立上部１１に係合する第２の係合部としての第３のバネ部４３とを有する。さらに、取付部材４は第２の接続部４４を有する。本実施の形態において、第２のバネ部４２及び第３のバネ部４３は、第２の接続部４４と別々に成形され、第２の接続部４４に接続される。
【００４３】
図７に示すように、第２のバネ部４２は一点鎖線で囲まれた部分に第２の凸部４８を有し、第３のバネ部４３は二点鎖線で囲まれた部分に第３の凸部４９を有する。本実施の形態において、第２のバネ部４２及び第３のバネ部４３は、±Ｚ方向に対して垂直な向きである±Ｘ方向の弾性力を有する。本実施の形態にかかる照明器具は、第２のバネ部４２が第１の貫通孔１５に係合し、第３のバネ部４３が第２の貫通孔１６に係合する。以下に詳しく説明するが、第１の貫通孔１５に第２のバネ部４２の第２の凸部４８が挿入され、第２の貫通孔１６に第３のバネ部４３の第３の凸部４９が挿入されると、固定部材１に取付部材４が取り付けられた状態となる。
【００４４】
本実施の形態において第２の凸部４８は、図７に示すように、Ｌ字形状であり、第２の凸部４８が有する面はどれも、±Ｚ方向に対して垂直ではない。すなわち、第２の凸部４８が有する面はどれも、ＸＹ平面に平行ではない。第２の凸部４８のうち、図７において点線で囲まれたＴ２部は、＋Ｚ方向に対して鈍角を有する。同様に、本実施の形態において第３の凸部４９は、図７に示すように、Ｌ字形状であり、第３の凸部４９が有する面はどれも、±Ｚ方向に対して垂直ではない。すなわち、第３の凸部４９が有する面はどれも、ＸＹ平面に平行ではない。第３の凸部４９のうち、図７において破線で囲まれたＴ３部は、＋Ｚ方向に対して鈍角を有する。
【００４５】
本実施の形態にかかる照明器具の取付部材４は、本発明の実施の形態１にかかる照明器具１００の取付部材２と同様に、落下防止用固定具２５を有するが、図７は断面図のため、図７に落下防止用固定具２５は図示されない。
【００４６】
次に、本発明の実施の形態２にかかる照明器具を壁面へ取り付ける方法について説明する。図８は、本発明の実施の形態２にかかる照明器具を壁面へ取り付ける方法を説明する図である。まず、本発明の実施の形態１と同様に、固定部材１を壁面である天井面Ａに固定する。次に、図８（ａ）に示すように、第１の貫通孔１５の真下に第２のバネ部４２が、第２の貫通孔１６の真下に第３のバネ部４３が来るよう取付部材４を把持して、＋Ｚ方向に取付部材４を押し込む。この時、図７において、第２の凸部４８のうち点線で囲まれたＴ２部と、第３の凸部４９のうち図７において破線で囲まれたＴ３部とが、まず立上部１１に当接する。そして、＋Ｚ方向に取付部材４を押し込むにつれて、Ｔ２部と立上部１１との接点が、第２の凸部４８の頂点に近づき、第２の凸部４８の頂点が立上部１１に接する。同様に、＋Ｚ方向に取付部材４を押し込むにつれて、Ｔ３部と立上部１１との接点が、第３の凸部４９の頂点に近づき、第３の凸部４９の頂点が立上部１１に接する。
【００４７】
＋Ｚ方向に取付部材４を押し込むと、第２のバネ部４２は、立上部１１に対して垂直な向き（±Ｘ方向）の弾性力を有するので、立上部１１に押圧され、＋Ｘ方向に弾性変形する。同様に、＋Ｚ方向に取付部材４を押し込むと、第３のバネ部４３は、立上部１１に対して垂直な向き（±Ｘ方向）の弾性力を有するので、立上部１１に押圧され、−Ｘ方向に弾性変形する。
【００４８】
第２のバネ部４２を＋Ｘ方向に弾性変形させたまま、＋Ｚ方向に取付部材４を押し込むと、第２の凸部４８の頂点が第１の貫通孔１５の位置に来た時に、立上部１１による第２のバネ部４２への押圧が解放され、第１の貫通孔１５に第２の凸部４８が挿入される。同様に、第３のバネ部４３を−Ｘ方向に弾性変形させたまま、＋Ｚ方向に取付部材４を押し込むと、第３の凸部４９の頂点が第２の貫通孔１６の位置に来た時に、立上部１１による第３のバネ部４３への押圧が解放され、第２の貫通孔１６に第３の凸部４９が挿入される。これにより、図８（ｂ）に示す状態が得られる。以上により、本実施の形態にかかる照明器具は、天井面Ａへ取り付けられる。
【００４９】
なお最後に、第２のネジ穴１７及びネジを使用して、固定部材１と取付部材４の落下防止用固定部２５とを固定する。この作業を行わなくとも、第１の貫通孔１５に第２の凸部４８が挿入されること、及び第２の貫通孔１６に第３の凸部４９が挿入されることにより、取付部材４は固定部材１から落下しない。しかしながら、照明器具の長期に渡る使用により、第２の凸部４８又は第３の凸部２９が経年劣化すると、取付部材４が固定部材１から外れる可能性がある。したがって念のために、本実施の形態では、第２のネジ穴１７及びネジを使用して、固定部材１と取付部材４の落下防止用固定部２５とを固定しておく。
【００５０】
本実施の形態にかかる照明器具を壁面から取り外す作業は、基本的には取り付ける作業と逆手順で行われる。まず、ネジを第２のネジ穴１７から外して、固定部材１と取付部材４の落下防止用固定部２５との固定を解く。そして、蓋部２１を−Ｚ方向に引っ張って、第２のバネ部４２を＋Ｘ方向に弾性変形させ、第３のバネ部４３を−Ｘ方向に弾性変形させる。そのまま、取付部材４を−Ｚ方向に引っ張ると、第１の貫通孔１５から第２のバネ部４２が外れ、第２の貫通孔１６から第３のバネ部４３が外れて、固定部材１から取付部材４が取り外された状態となる。最後に、天井面Ａから固定部材１を取り外す。以上により、本実施の形態にかかる照明器具は、天井面Ａから取り外される。
【００５１】
図９は、本実施の形態にかかる照明器具の第２のバネ部４２と第３のバネ部４３と立上部１１の位置関係を説明する概略断面図である。図９には、本実施の形態にかかる照明器具のうち、立上部１１、固定面１２、蓋部２１、第２のバネ部４２及び第３のバネ部４３のみを概略で示す。固定面１２は、壁面と接するので、固定面１２の位置は壁面の位置でもある。
【００５２】
図９に示すように、第２のバネ部４２が有する端点のうち立上部１１に対して垂直な方向（±Ｙ方向）において第３のバネ部４３から最も遠い点Ｈと、第３のバネ部４３が有する端点のうち立上部１１に対して垂直な方向（±Ｙ方向）において第２のバネ部４２から最も遠い点Ｉとの間における、立上部１１に対して垂直な方向（±Ｙ方向）の距離Ｌ５は、立上部１１の内面間の距離Ｌ２よりも長い。つまり、本実施の形態において、点Ｈと点Ｉとの間における±Ｙ方向の距離Ｌ５は、立上部１１の内面間の距離Ｌ２よりも長い。したがって、本実施の形態では、第２のバネ部４２が立上部１１に係合し、第３のバネ部４３が立上部１１に係合する。より詳細には、第２のバネ部４２及び第３のバネ部４３は、立上部１１の外側に向かう力を利用して、立上部１１に係合する。
【００５３】
また、図９に示すように、第２のバネ部４２が有する面のうち立上部１１と対向する面において壁面に最も近い点Ｊと、第３のバネ部４３が有する面のうち立上部１１と対向する面において壁面に最も近い点Ｋとの間における、立上部１１に対して垂直な方向（±Ｙ方向）の距離Ｌ６は、立上部１１の内面間の距離Ｌ２よりも短い。つまり、本実施の形態において、点Ｊと点Ｋとの間における±Ｙ方向の距離Ｌ６は、立上部１１の内面間の距離Ｌ２よりも短い。本実施の形態では、固定部材１に取付部材２を取り付ける前も後も、距離Ｌ６は距離Ｌ２よりも短いが、本発明においては、固定部材１に取付部材２を取り付ける作業時に、距離Ｌ６が距離Ｌ２よりも短くなっていれば良い。
【００５４】
本実施の形態において、立上部１１は円筒形状であるので、立上部１１の内面間の距離Ｌ２は、立上部１１の内径であり、どこをとっても同じ長さである。しかしながら、立上部１１は多角形筒状であっても良いので、立上部１１の内面間の距離Ｌ２は、場所によって異なることがある。この場合、立上部１１の内面間の距離Ｌ２は、立上部１１の内面間の距離Ｌ２と比較する対象の距離が示される同じ断面内における、立上部１１の内面間の距離Ｌ２とする。
【００５５】
距離Ｌ５及び距離Ｌ６は、第２のバネ部４２の弾性力の大きさや、第２の凸部４８の形状、第３のバネ部４３の形状、第１の貫通孔１５の形状や大きさ、第２の貫通孔１６の形状や大きさ等によって、適宜定められるものである。
【００５６】
また、第２のバネ部４２は、図９に示すように、立上部１１に対して平行な向き（±Ｚ方向）に立上部１１と接する面のうち壁面に近い方の面と、立上部１１と対向する面のうち壁面に近い方の面との間の角が、鈍角Ｃ２である。さらに、第３のバネ部４３は、図９に示すように、立上部１１に対して平行な向き（±Ｚ方向）に立上部１１と接する面のうち壁面に近い方の面と、立上部１１と対向する面のうち壁面に近い方の面との間の角が、鈍角Ｃ３である。鈍角Ｃ２及び鈍角Ｃ３の角度は、第２のバネ部４２及び第３のバネ部４３の弾性力の大きさや、第１の貫通孔１５及び第２の貫通孔１６の形状や大きさ等によって、適宜決められるものである。
【００５７】
以上のように、本実施の形態にかかる照明器具は、第２のバネ部４２及び第３のバネ部４３が立上部１１に対して垂直な向きの弾性力を有するので、壁面への取り付けを容易にできる。本実施の形態にかかる照明器具は、固定部材１に対して取付部材４を押し込むだけで、灯具３が取り付けられた取付部材４を壁面に固定された固定部材１に取り付けることができる。つまり、固定部材１に取付部材４を取り付ける作業において、固定部材１に対して取付部材４を押し込む動作と同時に行うべき動作がない。すなわち、本実施の形態にかかる照明器具は、固定部材１に取付部材４を取り付ける作業において、２つ以上の動作を同時に行う必要がない。したがって、本実施の形態にかかる照明器具は、固定部材１に取付部材４を容易に取り付けることができるから、壁面への取り付けが容易となる。
【００５８】
また、本実施の形態にかかる照明器具は、壁面への取り付けをさらに容易にできる。本実施の形態にかかる照明器具は、第２のバネ部４２が有する面のうち立上部１１と対向する面において壁面に最も近い点Ｈと、第３のバネ部４３が有する面のうち立上部１１と対向する面において壁面に最も近い点Ｉとの間における、立上部１１に対して垂直な方向の距離Ｌ６は、立上部１１の内面間の距離Ｌ２よりも短い。したがって、固定部材１に取付部材２を取り付ける作業において、本実施の形態にかかる照明器具は、第２の凸部４８を立上部１１に当接させ易く、かつ第３の凸部４９を立上部１１に当接させ易いからである。
【００５９】
さらに、本実施の形態にかかる照明器具は、壁面への取り付けをさらに容易にできる。本実施の形態にかかる照明器具の第２のバネ部４２は、立上部１１に対して平行な向きに立上部１１と接する面のうち壁面に近い方の面と、立上部１１と対向する面のうち壁面に近い方の面との間の角が、鈍角Ｃ２である。そして、本実施の形態にかかる照明器具の第３のバネ部４３は、立上部１１に対して平行な向きに立上部１１と接する面のうち壁面に近い方の面と、立上部１１と対向する面のうち壁面に近い方の面との間の角が、鈍角Ｃ３である。したがって、固定部材１に取付部材４を取り付ける作業において、本実施の形態にかかる照明器具は、第２のバネ部４２及び第３のバネ部４３と立上部１１とを当接させた後、固定部材１に取付部材４を押し込みやすいからである。
【００６０】
さらに、本実施の形態にかかる照明器具は、本発明の実施の形態１にかかる照明器具１００よりも容易に、壁面への取り付けを行うことができる。なぜなら、本発明の実施の形態１にかかる照明器具１００の壁面への取り付け作業における、第２の貫通孔１６に第１の引掛部２３を引っ掛ける作業をなくしているからである。
【００６１】
また、本実施の形態にかかる照明器具は、壁面からの取り外しも容易にできる。本実施の形態にかかる照明器具は、蓋部２１を引っ張って、つまり−Ｚ方向に取付部材４を引っ張るだけで、固定部材１から取付部材４を取り外せる。したがって、本実施の形態にかかる照明器具は、固定部材１から取付部材４を容易に取り外すことができるから、壁面からの取り外しも容易である。
【００６２】
さらに、本実施の形態にかかる照明器具は、本発明の実施の形態１にかかる照明器具１００と同様に、灯具３の回転動作により、固定部材１から取付部材４が外れることを防止することができることは言うまでもない。
【００６３】
本実施の形態において第２のバネ部４２及び第３のバネ部４３は、第２の接続部４４と別々に成形され、第２の接続部４４に接続されるとしたが、第２のバネ部４２と第３のバネ部４３と第２のバネ部４４とを一体に成形しても良い。また、本実施の形態にかかる照明器具の取付部材４は、第２の接続部４４を備えず、第２のバネ部４２と第３のバネ部４３とをそれぞれ蓋部２１に直接接続させても良い。もちろん、第２のバネ部４２と第２の接続部４４とは一体に成形するが、第３のバネ部４３は別に成形する等しても良い。
【００６４】
なお、本発明の実施の形態１及び本発明の実施の形態２において、係合部及び係合受部の数はそれぞれ２つであるが、本発明において、係合部及び係合受部の数は特に限定されるものではない。灯具３の重さや、係合部と係合受部との係合力の大きさ等により、適宜決められるものであり、少なくとも１つの係合部が、立上部１１に対して垂直な向きの弾性力を有すれば良い。
【００６５】
実施の形態３．
次に、本発明の実施の形態３にかかる照明器具について説明する。本発明の実施の形態３では、本発明の実施の形態１と相違する部分について説明し、同一又は対応する部分についての説明は省略する。本発明の実施の形態３にかかる照明器具は、本発明の実施の形態１にかかる照明器具１００とは、バネ部の凸部の形状が異なる。
【００６６】
図１０は、本発明の実施の形態３にかかる照明器具が有する第４のバネ部６２を示す側面図である。本実施の形態３にかかる照明器具は、本発明の実施の形態１にかかる照明器具１００の第１のバネ部２２を、図１０の第４のバネ部６２に変えたものである。第４のバネ部６２は、第１の係合部として、第１の係合受部である第１の貫通孔１５に係合する。本実施の形態において第４のバネ部６２は、±Ｚ方向に対して垂直な向きである±Ｙ方向の弾性力を有する。
【００６７】
ここで、本発明の実施の形態１にかかる照明器具１００の第２のバネ部２２を、第４のバネ部６２に変えた取付部材を、取付部材６と呼ぶことする。つまり、本実施の形態にかかる照明器具は、灯具３が取り付けられ、固定部材１に取り付けられる取付部材６を備える。図１０において、点線は、固定部材１に取付部材６を取り付けた状態における立上部１１の位置を示す。すなわち、点線は、第４のバネ部６２が第１の貫通孔１５に係合した際の立上部１１の位置を示す。
【００６８】
図１０に示すように、第４のバネ部６２は一点鎖線で囲まれた部分に第４の凸部６８を有する。本実施の形態において、第１の貫通孔１５に第４の凸部６８が挿入されると、固定部材１に取付部材６が取り付けられた状態となる。第４のバネ部６２は、第４の凸部６８の形状が、本発明の実施の形態１にかかる照明器具１００の第２のバネ部２２と異なる。本実施の形態において第４のバネ部６８は、立上部１１に対して平行な向き（±Ｚ方向）に立上部１１と接する面のうち壁面から遠い方の面が、立上部１１に対して垂直である。言い換えると、本実施の形態において第４のバネ部６８は、立上部１１に対して平行な向き（±Ｚ方向）に立上部１１と接する点のうち壁面から遠い点において、立上部１１に対して垂直な面Ｂを有する。図１０に示すように第４の凸部６８は、Ｌ字形状であり、立上部１１に対して平行な向きに立上部１１と接する面のうち壁面から遠い方の面Ｂが、立上部１１に対して垂直であり、ＸＹ平面と平行である。
【００６９】
また、本実施の形態にかかる照明器具も、本発明の実施の形態１にかかる照明器具１００と同様に、第４のバネ部６２が有する端点のうち立上部１１に対して垂直な方向（±Ｙ方向）において第１の引掛部２３から最も遠い点と、第１の引掛部２３が有する端点のうち立上部１１に対して垂直な方向（±Ｙ方向）において第４のバネ部６２から最も遠い点との間における、立上部１１に対して垂直な方向（±Ｙ方向）の距離が、立上部１１の内面間の距離よりも長い。したがって、本実施の形態では、第４のバネ部６２が立上部１１に係合し、第１の引掛部２３が立上部１１に係合する。より詳細には、第４のバネ部６２及び第１の引掛部２３は、立上部１１の外側に向かう力を利用して、立上部１１に係合する。
【００７０】
また、第４のバネ部６２が有する面のうち立上部１１と対向する面において壁面に最も近い点と、第１の引掛部２３が有する面のうち立上部１１と対向する面において壁面に最も近い点との間における、立上部１１に対して垂直な方向（±Ｙ方向）の距離は、立上部１１の内面間の距離よりも短い。本実施の形態では、固定部材１に取付部材２を取り付ける前も後も、第４のバネ部６２が有する面のうち立上部１１と対向する面において壁面に最も近い点と、第１の引掛部２３が有する面のうち立上部１１と対向する面において壁面に最も近い点との間における、立上部１１に対して垂直な方向（±Ｙ方向）の距離が、立上部１１の内面間の距離の長さよりも短い。しかしながら、本発明においては、固定部材１に取付部材２を取り付ける作業時に、第４のバネ部６２が有する面のうち立上部１１と対向する面において壁面に最も近い点と、第１の引掛部２３が有する面のうち立上部１１と対向する面において壁面に最も近い点との間における、立上部１１に対して垂直な方向（±Ｙ方向）の距離が、立上部１１の内面間の距離の長さよりも短くなっていれば良い。
【００７１】
本実施の形態において、立上部１１は円筒形状であるので、立上部１１の内面間の距離は、立上部１１の内径であり、どこをとっても同じ長さである。しかしながら、立上部１１は多角形筒状であっても良いので、立上部１１の内面間の距離は、場所によって異なることがある。この場合、立上部１１の内面間の距離は、立上部１１の内面間の距離と比較する対象の距離が示される同じ断面内における、立上部１１の内面間の距離とする。
【００７２】
また、第４のバネ部６２は、図１０に示すように、立上部１１に対して平行な向き（±Ｚ方向）に立上部１１と接する面のうち壁面に近い方の面と、立上部１１と対向する面のうち壁面に近い方の面との間の角が、鈍角Ｃ４である。鈍角Ｃ４の角度は、第４のバネ部６２の弾性力の大きさや、第１の貫通孔１５の形状や大きさ等によって、適宜決められるものである。
【００７３】
本実施の形態にかかる照明器具を壁面への取り付ける方法は、本発明の実施の形態１にかかる照明器具１００と同じである。しかしながら、本実施の形態にかかる照明器具を壁面から取り外す方法は、本発明の実施の形態１にかかる照明器具１００とは異なる。
【００７４】
本実施の形態にかかる照明器具を壁面から取り外す方法について説明する。まず、ネジを第２のネジ穴１７から外して、固定部材１と取付部材６の落下防止用固定部２５との固定を解く。そして、固定部材１の外側から第４の凸部６８を内側に（−Ｙ方向に）押し込む。次に、第４の凸部６８を−Ｙ方向に押し込んだまま、蓋部２１の第４のバネ部６２が設けられている部分を−Ｚ方向に引っ張って蓋部２１を傾け、第４のバネ部６２を−Ｙ方向に弾性変形させる。その後は、本発明の実施の形態１にかかる照明器具１００を壁面から取り外す方法と同じ手順をとる。
【００７５】
以上のように、本実施の形態にかかる照明器具は、第４のバネ部６２が立上部１１に対して垂直な向きの弾性力を有するので、本発明の実施の形態１にかかる照明器具１００と同様に、照明器具の壁面への取り付けを容易にできる。
【００７６】
また、本実施の形態にかかる照明器具は、照明器具の壁面への取り付けをさらに容易にできる。第４のバネ部６２が有する面のうち立上部１１と対向する面において壁面に最も近い点と、第１の引掛部２３が有する面のうち立上部１１と対向する面において壁面に最も近い点との間における、立上部１１に対して垂直な方向の距離の長さが、立上部１１の内面間の距離Ｌ２よりも短い。したがって、本発明の実施の形態１にかかる照明器具１００と同様に、固定部材１に取付部材６を取り付ける作業において、本実施の形態にかかる照明器具は、第４の凸部６８を立上部１１に当接させ易いからである。
【００７７】
さらに、本実施の形態にかかる照明器具は、壁面への取り付けをさらに容易にできる。本実施の形態にかかる照明器具の第４のバネ部６２は、立上部１１に対して平行な向きに立上部１１と接する面のうち壁面に近い方の面と、立上部１１と対向する面のうち壁面に近い方の面との間の角が、鈍角Ｃ４である。したがって、固定部材１に取付部材６を取り付ける作業において、本実施の形態にかかる照明器具は、第４のバネ部６２と立上部１１とを当接させた後、固定部材１に取付部材６を押し込みやすいからである。
【００７８】
また、本実施の形態にかかる照明器具は、本発明の実施の形態１にかかる照明器具１００と同様に、灯具３の回転動作により、固定部材１から取付部材６が外れ、灯具３が落下することを防止できる。
【００７９】
以下、本実施の形態にかかる照明器具が有する効果のうち、本発明の実施の形態１にかかる照明器具１００と違う効果について説明する。本実施の形態にかかる照明器具は、本発明の実施の形態１にかかる照明器具１００よりも、取付部材６が固定部材１から落下しにくい（−Ｚ方向に動きにくい）。第４のバネ部６２が、立上部１１に対して平行な向きに立上部１１と接する面のうち壁面から遠い方の面が、立上部１１に対して垂直な面Ｂであるので、取付部材６が固定部材１から落下しようする時（−Ｚ方向に動こうとする時）に、第４のバネぶ６２が弾性変形しにくいからである。つまり、取付部材６が固定部材１から落下しようする時（−Ｚ方向に動こうとする時）に、第４のバネ部６２が第１の貫通孔１５から外れにくいので、取付部材６が固定部材１から落下しにくい（−Ｚ方向に動きにくい）。
【００８０】
図１１は、本発明の実施の形態３にかかる照明器具が有する第４のバネ部６２の変形例を示す側面図である。図１１に示す第４のバネ部６２は、第４の凸部６８の形状が図１０に示した第４のバネ部６２と異なる。図１１に示す第４のバネ部６２の形状は、図１０に示した第４のバネ部６２の形状を簡略化したものである。図１１に示す第４のバネ部６２も、±Ｚ方向に対して垂直な向きである±Ｙ方向の弾性力を有し、立上部１１に対して平行な向き（±Ｚ方向）に立上部１１と接する面のうち壁面から遠い方の面が、立上部１１に対して垂直である。言い換えると、図１１に示す第４のバネ部６８も、立上部１１に対して平行な向き（±Ｚ方向）に立上部１１と接する点のうち壁面から遠い点において、立上部１１に対して垂直な面Ｂを有する。図１１に示すように第４の凸部６８は、Ｌ字形状であり、立上部１１に対して平行な向きに立上部１１と接する面のうち壁面から遠い方の面Ｂが、立上部１１に対して垂直であり、ＸＹ平面と平行である。
【００８１】
第４の凸部６８の形状を図１１に示す形状にしても、第４の凸部６８の形状が図１０に示す形状とした時と、本実施の形態にかかる照明器具が得られる効果が同じであることは言うまでもない。
【００８２】
本実施の形態では、本発明の実施の形態１にかかる照明器具１００の第１のバネ部２２を、図１０又は図１１に示した第４のバネ部６２に変えた照明器具について説明した。他の実施の形態として、本発明では、図１０及び図１１に示した第４のバネ部６２を、本発明の実施の形態２にかかる照明器具の第２のバネ部４２と変えても良いし、本発明の実施の形態２にかかる照明器具の第３のバネ部４３と変えても良い。もちろん、本発明の実施の形態２にかかる照明器具の第２のバネ部４２及び第３のバネ部４３の両方を図１０及び図１１に示した第４のバネ部６２に変えても良い。
【００８３】
本発明は、発明の範囲内において、各実施の形態や変形例を自由に組み合わせること、各実施の形態を適宜、変形、省略することが可能である。各実施の形態において例示された各構成要素の寸法、材質、形状、それらの相対配置等は、本発明が適用される装置の構成や各種条件により適宜変更されるものであり、本発明はそれらの例示に限定されるものではない。また、各図における各構成要素の寸法は、実際の寸法と異なる場合がある。
【符号の説明】
【００８４】
１  固定部材、２，４，６  取付部材、３  灯具、１１  立上部、１２  固定面、１３  第１のネジ穴、１４  電線挿入孔、１５  第１の貫通孔、１６  第２の貫通孔、１７  第２のネジ穴、２１  蓋部、２２  第１のバネ部、２３  第１の引掛部、２４  第１の接続部、２５  落下防止用固定部、２６  回転規制部、２７  ナット、２８  第１の凸部、２９  第１の爪部、３１  アーム、３２  灯体、４２  第２のバネ部、４３  第３のバネ部、４４  第２の接続部、４８  第２の凸部、４９  第３の凸部、６２  第４のバネ部、６８  第４の凸部、１００  照明器具。
【図１】
2020194684.tif 000003
【図２】
2020194684.tif 000004
【図３】
2020194684.tif 000005
【図４】
2020194684.tif 000006
【図５】
2020194684.tif 000007
【図６】
2020194684.tif 000008
【図７】
2020194684.tif 000009
【図８】
2020194684.tif 000010
【図９】
2020194684.tif 000011
【図１０】
2020194684.tif 000012
【図１１】
2020194684.tif 000013